(57)【要約】【課題】モジュラコネクタ及びSFPコネクタを択一的又は同時に共通のプリント配線板に接続することが可能なコネクタ実装構造を提供する。【解決手段】プリント配線板100が、切込部110と、これに隣接して設けたモジュラコネクタ接続パターン120と、この接続パターン120から離隔して設けられSFPコネクタを接続する接続パターン130を有する。また、オモテイタ200が有する開口部210の開口面内に切込部110が対向するようにプリント配線板100とオモテイタ200とを結合する。開口部210からモジュラコネクタを挿入した時、該モジュラコネクタが開口部210と切込部110とによって支持され、同時に該モジュラコネクタがモジュラコネクタ接続パターン120と電気的接触可能となり、開口部210からSFPフロントケージを挿入した時、該SFPフロントケージが開口部210と切込部110とによって支持され、同時に該SFPフロントケージを通ってSFPモジュールが該SFPコネクタに接続可能となる。【選択図】図1
2008077923.tif 000002
【特許請求の範囲】
【請求項１】
切込部と、該切込部に隣接して設けたモジュラコネクタ接続パターンと、該モジュラコネクタ接続パターンから離隔して載置されたSFPコネクタとを有するプリント配線板と、
開口部を有し、該開口部の開口面内に該切込部が対向するように該プリント配線板と結合されたオモテイタとを備え、
該開口部からモジュラコネクタを挿入した時、該モジュラコネクタが該開口部と該切込部とによって支持され、同時に該モジュラコネクタが該モジュラコネクタ接続パターンに電気的接触可能となり、該開口部からSFPフロントケージを挿入した時、該SFPフロントケージが該開口部と該切込部とによって支持され、同時に該SFPフロントケージを通ってSFPモジュールが該SFPコネクタに接続可能となることを特徴としたコネクタ実装構造。
【請求項２】
請求項１において、
該プリント配線板が、その両面に該モジュラコネクタ接続パターン及び該SFPコネクタをそれぞれ有し、
該開口部の中央に該切込部が対向し、以て該モジュラコネクタ及び該SFPフロントケージを組み合わせたスタック構成、又は該モジュラコネクタ若しくは該SFPフロントケージの一体化された２段構成を可能にしたことを特徴としたコネクタ実装構造。
【請求項３】
請求項１において、
該切込部がロック溝を有し、
該モジュラコネクタ又は該SFPフロントケージに設けられたロック部を、該ロック溝に嵌合させることによって該モジュラコネクタ又は該SFPフロントケージを該切込部が支持することを特徴としたコネクタ実装構造。
【請求項４】
請求項１において、
該オモテイタと、該モジュラコネクタ又は該SFPフロントケージとをさらに結合部材により結合することを特徴としたコネクタ実装構造。
【請求項５】
請求項１において、
該SFPモジュールを該SFPコネクタに接続した時に該SFPモジュールを周囲から支持するSFPバックケージを該プリント配線板にさらに載置したことを特徴とするコネクタ実装構造。
【発明の詳細な説明】
【技術分野】
【０００１】
本発明は、コネクタ実装構造に関し、特にモジュラコネクタ又はSFPコネクタをプリント配線板に接続するコネクタ実装構造に関するものである。
【背景技術】
【０００２】
上記のようなコネクタ実装構造としては、例えば図19に示すプラグインユニット1が従来より知られている。このプラグインユニット1は、搭載される通信装置2や電子機器(図示せず)等の通信インタフェースとして機能するコネクタ3をプリント配線板100に接続すると共に、このコネクタ3をプリント配線板100に固定されるオモテイタ200を介して外部と接続可能にしている。
【０００３】
上記のコネクタ3には、通信用途に応じて種々のものが用いられる。特にインターネット通信等においては、RJ-45型等のモジュラコネクタが一般的に用いられ、さらに通信距離や通信容量等が大きいような場合には、光通信用のSFP(Small Form-Factor Pluggable)コネクタが広く採用される。
【０００４】
これらのモジュラコネクタ及びSFPコネクタの実装技術の従来例[1]及び[2]を、図20〜22を参照して以下に説明する。
【０００５】
従来例[1] (モジュラコネクタ実装例)：図20
図20(1)及び(2)に示すモジュラコネクタ300は、モジュラプラグ(図示せず)の差込口310と、オモテイタ200との接触部340と、プリンタ配線板100に接続するリード部360とを有している。
【０００６】
組立工程においては、同図(3)に示すように、まずモジュラコネクタ300のリード部360を、プリント配線板100に設けられたスルーホール160に挿入してハンダ付けして接続する。
【０００７】
そして、同図(4)に示すように、オモテイタ200をモジュラコネクタ300の正面側から嵌め込んで固定する。この時、接触部340はオモテイタ200と電気的に接触し、以てEMC(Electro-Magnetic Compatibility)機能を発揮することが可能となる。
【０００８】
従来例[2] (SFPコネクタ及びケージ実装例)：図21
図21(1)及び(2)は、SFPコネクタ600及びこれに接続されるSFPモジュール(図示せず)を周囲から支持するSFPケージ800を示している。
【０００９】
このSFPケージ800は、SFPモジュールが差込口810から差し込まれてSFPコネクタ600に接続された時、バネ板部820が、SFPモジュールを差込口810側へ押し戻す反発力を発生し、ロック部830が、押し戻されたSFPモジュールを係止してSFPコネクタ600に確実に接続させる構成となっている。
【００１０】
組立工程においては、同図(3)に示すように、まずSFPコネクタ600をプリンタ配線板100に載置して接続し、次にSFPケージ800のリード部840をプリント配線板100に設けられたスルーホール160に挿入してハンダ付けする。
【００１１】
そして、同図(4)に示すように、オモテイタ200をSFPケージ800の正面側から嵌め込んで固定する。これにより、接触部850がオモテイタ200と電気的に接触し、上記の従来例[1]と同様にEMC機能を発揮することが可能となる。
【００１２】
なお、参考例として、保守検査を行う際に、図19に示したプラグインユニット1全体を通信装置2から取り外す作業や、SPFモジュールに接続されるケーブルを挿抜する作業等によるメンテナンス性の低下を改善するため、SFPケージ800を２分割してオモテイタ200側のケージを他方のケージから着脱可能にすると共に、オモテイタ200側のケージとオモテイタ200とを一体化した構成とし、以てケーブルを挿抜すること無くプラグインユニット1の一部のみを通信装置2から取り出しできるようにしたものもある(例えば、特許文献1参照。)。
【００１３】
また、上記の従来例[1]で示したモジュラコネクタ300及び上記の従来例[2]で示したSFPコネクタ600の両者を混載する必要がある場合には、図22(1)に示すように、モジュラコネクタ300を搭載したプリント配線板100_1と、SFPコネクタ600を組み込んだSFPケージ800を搭載したプリント配線板100_2とを共に通信装置2に搭載し、さらに多数のコネクタが必要な場合には、同図(2)に示すように、モジュラコネクタ300及びSFPケージ800を、それぞれ２段構成にしたモジュラコネクタ300D及びSFPケージ800Dをプリント配線板100_1及び100_2に搭載していた。
【特許文献１】特開2005-116751号公報
【発明の開示】
【発明が解決しようとする課題】
【００１４】
上記の従来例[1]及び[2]では、モジュラコネクタ及びSFPコネクタをそれぞれ専用のプリント配線板に搭載しており、通信用途(すなわち、モジュラコネクタ又はSFPコネクタのいずれを用いるか)が変更された際にはプリント配線板を交換する必要があると共に、設計工程において、コネクタ毎にプリント配線板及びプラグインユニットを構成する他の部材を用意しなければならないという課題があった。
【００１５】
また、モジュラコネクタ及びSFPコネクタの両者を用いた運用が想定される場合には、両者が同時に使用されるか否かに関わらず、通信装置や電子機器等に予め少なくとも２枚のプリント配線板を搭載する必要があり、高密度実装化を妨げてしまうという課題もあった。
【００１６】
従って、本発明は、モジュラコネクタ及びSFPコネクタを択一的又は同時に共通のプリント配線板に接続することが可能なコネクタ実装構造を提供することを目的とする。
【課題を解決するための手段】
【００１７】
[1]上記の目的を達成するため、本発明の一態様に係るコネクタ実装構造は、切込部と、該切込部に隣接して設けたモジュラコネクタ接続パターンと、該モジュラコネクタ接続パターンから離隔して載置されたSFPコネクタとを有するプリント配線板と、開口部を有し、該開口部の開口面内に該切込部が対向するように該プリント配線板と結合されたオモテイタとを備え、該開口部からモジュラコネクタを挿入した時、該モジュラコネクタが該開口部と該切込部とによって支持され、同時に該モジュラコネクタが該モジュラコネクタ接続パターンに電気的接触可能となり、該開口部からSFPフロントケージを挿入した時、該SFPフロントケージが該開口部と該切込部とによって支持され、同時に該SFPフロントケージを通ってSFPモジュールが該SFPコネクタに接続可能となることを特徴とする。
【００１８】
すなわち、本発明は、モジュラコネクタとSFPコネクタに接続されるSFPモジュールのの長さの違いに着目してなされたもので、予め該モジュラコネクタの接続パターンを設け且つ該SFPコネクタを載置したプリント配線板を用意し、オモテイタの開口部から該モジュラコネクタ又は該SFPモジュールを支持するSFPフロントケージのいずれが挿入される場合であっても、該モジュラコネクタ又は該SFPフロントケージを該プリンタ配線板の切込部と該開口部とで支持するようにしている。
【００１９】
これにより、通信用途が変更されてもプリント配線板を交換する必要が無く、モジュラコネクタ及びSFPコネクタの両者を択一的に実装することが可能である。
【００２０】
また、上記の従来例[2]の組立工程においては、SFPケージをプリント配線板に実装した後にオモテイタを嵌め込んでいたが、SFPケージは図21に示したようにその厚みが薄くオモテイタに比べて強度が小さいため、オモテイタ嵌込時の位置合わせ如何によってはケージを変形又は破損させてしまう場合があった。
【００２１】
しかしながら、本発明では、オモテイタをプリント配線板に結合した後にSFPフロントケージを開口部から挿入できるようにしたため、オモテイタとの位置合わせが容易であり、ケージの変形又は破損を防止することができる。
【００２２】
[2]また、上記[1]において、該プリント配線板が、その両面に該モジュラコネクタ接続パターン及び該SFPコネクタをそれぞれ有し、該開口部の中央に該切込部が対向し、以て該モジュラコネクタ及び該SFPフロントケージを組み合わせたスタック構成、又は該モジュラコネクタ若しくは該SFPフロントケージの一体化された２段構成を可能にしても良い。
【００２３】
すなわち、該切込部を該開口部の中央に対向させることにより、該モジュラコネクタ又は該SFPフロントケージを該プリント配線板の両面上へ挿入することが可能となる。
【００２４】
この場合、組み合わせてスタック構成にした該モジュラコネクタ及び該SFPフロントケージを単一のプリント配線板の互いに異なる面上に同時に挿入できるため、通信装置や電子機器等に搭載するプリント配線板の枚数を減少させ、以て高密度実装化を図ることができる。
【００２５】
また、一体化して２段構成にした該モジュラコネクタ又は該SFPフロントケージを、プリント配線板を交換すること無くその両面に択一的に挿入できるため、以てより多数のモジュラコネクタ及びSFPコネクタを共通のプリント配線板に実装することができる。
【００２６】
[3]また、上記[1]において、該切込部がロック溝を有し、該モジュラコネクタ又は該SFPフロントケージに設けられたロック部を、該ロック溝に嵌合させることによって該モジュラコネクタ又は該SFPフロントケージを該切込部が支持するようにしても良い。
【００２７】
[4]また、上記[1]において、該オモテイタと、該モジュラコネクタ又は該SFPフロントケージとをさらに結合部材により結合するようにしても良い。
【００２８】
すなわち、上記[3]又は[4]の場合、該モジュラコネクタ又は該SFPフロントケージをより確実に固定することができる。
【００２９】
[5]また、上記[1]において、該モジュラコネクタ又は該SFPフロントケージが、該開口部と電気的接触が可能な接触部を有するようにしても良い。
【００３０】
すなわち、この場合、上記の従来例[1]及び[2]と同様にEMC機能を発揮することができる。
【００３１】
[6]また、上記[1]において、該SFPモジュールを該SFPコネクタに接続した時に該SFPモジュールを周囲から支持するSFPバックケージを該プリント配線板にさらに載置しても良い。
【００３２】
すなわち、この場合、該SFPモジュールをより確実に該SFPコネクタに接続させることができる。
【００３３】
また、該SFPモジュールは上記[1]で示した該SFPフロントケージによっても支持されているため、SFPバックケージは、該SFPモジュールを該SFPコネクタの近傍でのみ支持できれば良く小型化することが可能である。これにより、該SFPバックケージを該プリント配線板に載置する際には、上記の従来例[2]のようにリード部をスルーホールに挿入する必要の無い表面実装型のケージとすることができ、また、ハンダ付け時の熱容量を低減することもできる。
【００３４】
[7]また、上記[6]において、該SFPバックケージが、該SFPモジュールを該SFPフロントケージ側に押し戻す反発力を発生する板バネ部を有し、該SPFフロントケージが、該反発力により押し戻された該SFPモジュールを係止するロック部を有するようにしても良い。
【００３５】
すなわち、該SFPモジュールを支持するケージが分割される場合であっても、上記の従来例[2]と同様、該SFPモジュールを該SFPコネクタに確実に接続させることができる。
【００３６】
[8]また、上記[6]において、該SFPコネクタが、該プリント配線板にハンダ付けするためのリード部を有し、該SFPバックケージが、該プリント配線板に該リード部がハンダ付けされているか否かを検査するための窓部を有するようにしても良い。
【発明の効果】
【００３７】
本発明によれば、モジュラコネクタ及びSFPコネクタを共通のプリント配線板に接続することができ、以てコネクタ毎にプリント配線板を設計する必要が無く、用意すべきプラグインユニットの構成部材数を削減できるため、製造コストを低減させることができる。
【００３８】
また、モジュラコネクタ及びSFPコネクタを高密度実装できるようにしたので、以てこれを適用する通信装置等の小型化を図ることができる。
【発明を実施するための最良の形態】
【００３９】
本発明に係るコネクタ実装構造の実施例[1]〜[3]を、図1〜18を参照して説明する。
【００４０】
I.実施例[1](モジュラコネクタ及びSFPフロントケージの択一的実装)：図1〜9
モジュラコネクタ及びSFPフロントケージを択一的に実装するコネクタ実装構造の実施例を以下に説明するが、まず、本実施例のコネクタ実装構造を構成するプリント配線板、SFPコネクタ、オモテイタ、及びSFPバックケージに係る共通の組立工程例(1)を、図1〜3を参照して説明する。
【００４１】
そして、この共通組立工程例(1)にモジュラコネクタを実装する場合の組立工程例(2)を図4〜6を参照して説明し、SFPフロントケージを実装する場合の組立工程例(3)を図7〜9を参照して説明する。
【００４２】
I.1.共通組立工程例(1)：図1〜3
本実施例で用いるプリント配線板100は、図1(A)に示すように、その縁(一辺)を凹状に切り込んだ切込部110と、この切込部110の切込辺110_1に隣接してプリント配線板100上で図示の水平方向に設けた４つのモジュラコネクタ接続パターン120_1〜120_4(以下、符号120で総称することがある。)と、これらの接続パターン120_1〜120_4からそれぞれモジュラコネクタとSFPモジュールとの長さの差分だけ離隔して接続パターン120_1〜120_4と同方向に設けた４つのSFPコネクタ接続パターン130_1〜130_4(以下、符号130で総称することがある。)と、プリント配線板100の角部に設けた２つのネジ穴140_1及び140_2と、切込部110の両側の切込辺110_2に設けたロック溝150_1及び150_2(以下、符号150で総称することがある。)とを有している。
【００４３】
組立工程においては、同図(B)に示すように、まずSFPコネクタ接続パターン130_1〜130_4にそれぞれSFPコネクタ600_1〜600_4(以下、符号600で総称することがある。)を載置し接続して取り付ける。
【００４４】
そして、プリント配線板100のネジ穴140_1及び140_2と、オモテイタ200のネジ穴220_1及び220_2(以下、符号220で総称することがある。)とを、一例としてネジSC1及びSC2で結合する。
【００４５】
ここで、ネジ穴220は、図2(1)〜(3)に示すように、オモテイタ200の開口部210の上下に設けた内側折返部230_1及び230_2(以下、符号230で総称することがある。)の間に位置するように設けており、以て図1(B)に示すように、プリント配線板100の切込部110が開口部210の開口面内に対向する。
【００４６】
そして、SFPコネクタ600_1〜600_4をその各々の近傍で覆うようにSFPバックケージ500_1〜500_4(以下、符号500で総称することがある。)をプリント配線板100に搭載しハンダ付けして固定する。
【００４７】
なお、SFPバックケージ500は、SFPコネクタ600の接続に不可欠なものではなく、SFPモジュールをSFPコネクタ600に、より強固に接続させる必要がある場合に取り付ければ良い。
【００４８】
ここで、SFPバックケージ500には、図3(1)(A)〜(C)に示すように、差込口510から差し込まれたSFPモジュールを押し戻す反発力を発生する板バネ部520_1及び520_2(以下、符号520で総称することがある。)を設けても良い。
【００４９】
また、SFPバックケージ500には、同図(1)(C)に示すように、差込口510面以外の両側面及び背面と対向するように(すなわち、プリント配線板100と水平となるように)リード部530_1〜530_9(以下、符号530で総称することがある。)を設け、以て図21に示した従来のSFPケージとは異なり、プリント配線板100にスルーホールを設けること無く表面実装できるようにしている。
【００５０】
また、同図(2)に示すように、SFPバックケージ500には、SFPコネクタ600のリード部610がプリント配線板100のSFPコネクタ接続パターン130にハンダ付けされているか否かを検査するための窓部540を設けても良い。
【００５１】
I.2.モジュラコネクタを実装する時の組立工程例(2)：図4〜6
図4は、図1の共通組立工程例(1)で説明した組立作業の後、オモテイタ200の開口部210からモジュラコネクタ300を挿入した状態を示している。なお、この状態においてはSFPコネクタ600は使用されない。
【００５２】
ここで、このモジュラコネクタ300は、図5(1)〜(4)に一例として示すように、４つの差込口310_1〜310_4からそれぞれ差し込まれるモジュラプラグ(図示せず)を、プリント配線板100のモジュラコネクタ接続パターン120_1〜120_4に電気的に接続させるためのコンタクトピン320_1〜320_4(以下、符号320で総称することがある。)と、プリント配線板100のロック溝150_1及び150_2とそれぞれ嵌合できるように設けたロック部330_1及び330_2(以下、符号330で総称することがある。)と、各差込口310_1〜310_4に対応して設けられ、オモテイタ200と電気的に接触させるための４つの接触部340_1〜340_4(以下、符号340で総称することがある。)とで構成されている。
【００５３】
また、同図(2)に示すように、モジュラコネクタ300は、プリント配線板100へ嵌め込むための凹状の嵌込部350を有し、この嵌込部350の上面からコンタクトピン320の一部がモジュラコネクタ接続パターン120に接触可能なように引き出されている。
【００５４】
組立工程においては、図6(1)に示すように、モジュラコネクタ300をオモテイタ200の開口部210から挿入て行くと、嵌込部350がプリント配線板100を挟み込み且つプリント配線板100の切込辺110_1に当接し、以てモジュラコネクタ300は切込部110によってプリント配線板100が延長する水平方向で支持される。垂直方向に関しては、開口部210の内側折返部230_1及び230_2がモジュラコネクタ300を上下から挟み込む形で支持する。
【００５５】
なお、この例では、嵌込部350がプリンタ配線板100を挟み込んでモジュラコネクタ300を支持させているが、嵌込部350は、モジュラコネクタ300の支持に不可欠なものではない。モジュラコネクタ300は、少なくともプリンタ配線板100の切込辺110_1に当接できる形状であれば良い。
【００５６】
この時、図示のように、コンタクトピン320がモジュラコネクタ接続パターン120に電気的に接触し、接触部340がオモテイタ200に電気的に接触した状態となってEMC機能を発揮する。
【００５７】
なお、図示の状態においては、オモテイタ200の内側折返部230_1が接触部340を介してモジュラコネクタ300を挟み込んで支持しているが、接触部340は、モジュラコネクタ300の支持に不可欠なものではなく、EMC機能を発揮させる必要がある場合に設ければ良い。
【００５８】
また、同図(2)に示すように、モジュラコネクタ300のロック部330_1及び330_2と、プリンタ配線板100のロック溝150_1及び150_2とを嵌合させることにより、モジュラコネクタ300をプリント配線板100に固定する。
【００５９】
なお、これらのロック溝150及びロック部330は必須ではなく、モジュラコネクタ300をプリント配線板100に、より強固に固定させる必要がある場合に設ければ良い。
【００６０】
I.3.SFPフロントケージを実装する時の組立工程例(3)：図7〜9
図7は、図1の共通組立工程例(1)で説明した組立作業の後、SFPコネクタ600を使用するためにオモテイタ200の開口部210からSFPフロントケージ400を挿入した状態を示している。
【００６１】
この状態においてSFPモジュール700がオモテイタ200に挿入された時、SFPモジュール700は、SFPフロントケージ400及びバックケージ500を通ってSFPコネクタ600に接続され、且つSFPフロントケージ400及びバックケージ500によって支持される。但し、上述した通り、SFPバックケージ500は必須ではない。
【００６２】
ここで、このSFPフロントケージ400は、図8(1)〜(3)に一例として示すように、４つの差込口410_1〜410_4(以下、符号410で総称することがある。)からそれぞれ差し込まれるSFPモジュール700を係止するためのSFPモジュール係止用ロック部420_1〜420_4(以下、符号420で総称することがある。)と、プリント配線板100のロック溝150_1及び150_2とそれぞれ嵌合できるように設けたロック部430_1及び430_2(以下、符号430で総称することがある。)と、各差込口410_1〜410_4に対応して設けられ、オモテイタ200と電気的に接触させるための４つの接触部440_1〜440_4(以下、符号440で総称することがある。)とで構成されている。
【００６３】
なお、SFPモジュール係止用ロック部420は、プリント配線板100上にSFPバックケージ500を実装し且つSFPバックケージ500に板バネ部520を設けた場合(すなわち、板バネ部520によって押し戻されたSFPモジュール700を係止する場合)に設ければ良い。
【００６４】
組立工程においては、図9(1)に示すように、SFPフロントケージ400をオモテイタ200の開口部210から挿入して行くと、プリント配線板100の切込辺110_1に当接し、以てSFPフロントケージ400は切込部110によってプリント配線板100が延長する水平方向で支持される。垂直方向に関しては、開口部210の内側折返部230_1及び230_2がSFPフロントケージ400を上下から挟み込む形で支持する。また、図示のように、接触部440は、オモテイタ200に電気的に接触した状態となる。
【００６５】
なお、上記の組立工程例(2)と同様、接触部440はSFPフロントケージ400の支持に不可欠なものではなく、EMC機能を発揮させる必要がある場合に設ければ良い。
【００６６】
また、同図(2)に示すように、SFPフロントケージ400のロック部430_1及び430_2と、プリンタ配線板100のロック溝150_1及び150_2とを嵌合させることにより、SFPフロントケージ400をプリント配線板100に固定する。
【００６７】
なお、上記の組立工程例(2)と同様に、ロック溝150及びロック部430は必須ではなく、SFPフロントケージ400をプリント配線板100に、より強固に固定させる必要がある場合に設ければ良い。
【００６８】
なお、本実施例では、プリント配線板100にそれぞれ４つのモジュラコネクタ接続パターン120_1〜120_4及びSFPコネクタ接続パターン130_1〜130_4を設け、これに合わせてモジュラコネクタ300及びSFPフロントケージ400に、それぞれ４つのモジュラプラグ差込口310_1〜310_4及びSFPモジュール差込口410_1〜410_4を設ける４連構成としたが、当然のことながら、単一構成、２〜３連構成、或いは５連以上の構成としても良く、いずれの場合も上記の説明は同様に適用される。また、これは、後述する実施例[2]及び[3]においても同様である。
【００６９】
II.実施例[2](モジュラコネクタ及びSFPフロントケージの同時実装)：図10〜13
図10は、モジュラコネクタ300及びSFPフロントケージ400を同時に実装するコネクタ実装構造の実施例を示している。
【００７０】
本実施例で用いるプリント配線板100には、図11(1)(B)に示すように、その裏面に、同図(1)(A)に示す表面と同一のモジュラコネクタ接続パターン120_1R〜120_4R(以下、符号120Rで総称することがある。)及びSFPコネクタ接続パターン130_1R〜130_4R(以下、符号130Rで総称することがある。)を設け、モジュラコネクタ300及びSFPコネクタ600をプリント配線板100の両面に実装できるようにした点が上記の実施例[1]と異なっている。
【００７１】
また、オモテイタ200は、同図(2)(A)及び(B)に示すように、後述するSFPフロントケージ400を固定させるためのネジ穴240_1〜240_4(以下、符号240で総称することがある。)を有し、開口部210の高さを、スタック構成にしたモジュラコネクタ300及びSFPフロントケージ400を同時に挿入できるように変形し、且つプリンタ配線板100の切込部110が開口部210の中央に対向するようにネジ穴220_1及び220_2の位置を調整した点が上記の実施例[1]と異なっている。
【００７２】
なお、オモテイタ200とSFPフロントケージ400との結合は、ネジ結合に限らず種々の結合部材を用いて行うことができる。
【００７３】
また、SFPフロントケージ400は、図12(1)〜(3)に示すように、モジュラコネクタ300及びSFPフロントケージ400を開口部210に同時に挿入できるよう図3に示したものに比べて差込口410下部の厚みを薄くし、ロック部430_1及び430_2に代えて、オモテイタ200のネジ穴240_1及び240_2、又は240_3及び240_4と結合できるようにネジ穴450_1及び450_2(以下、符号450で総称することがある。)を設けた点が上記の実施例[1]と異なっている。
【００７４】
なお、モジュラコネクタ300、SFPコネクタ600、及びSFPバックケージ500については、上記の実施例[1]と同一のものを用いることができる。
【００７５】
組立工程においては、まず、図11(2)に示したネジ穴220の位置が調整されたオモテイタ200を、上記の実施例[1]と同様にプリント配線板100に結合する。これにより、図13に示すように、オモテイタ200の開口部210の中央にプリント配線板100の切込部110が対向する。
【００７６】
また、上記の実施例[1]に加えて、プリント配線板100の裏面に設けたSFPコネクタ接続パターン130Rにも、SFPバックケージ500R及びSFPコネクタ600Rを実装する。
【００７７】
そして、モジュラコネクタ300及びSFPフロントケージ400をスタック構成にしてオモテイタ200の開口部210から同時に挿入する。この時、モジュラコネクタ300は、上記の実施例[1]と同様、切込部110によってプリント配線板100が延長する水平方向で支持されるが、上記の実施例[1]とは異なり、開口部210の内側折返部230_1とSFPフロントケージ400の底面とによって垂直方向から支持される。
【００７８】
この時、上記の実施例[1]と同様、嵌込部350がプリント配線板100を挟み込むことにより、コンタクトピン320がモジュラコネクタ接続パターン120に電気的に接触され、接触部340がオモテイタ200に電気的に接触された状態となる。
【００７９】
また、図示を省略するが、モジュラコネクタ300のロック部330と、プリンタ配線板100のロック溝150とを嵌合させることにより、上記の実施例[1]と同様にモジュラコネクタ300をプリント配線板100に固定する。但し、これは、上記の実施例[1]で述べた通り必須ではない。
【００８０】
一方、SFPフロントケージ400は、開口部210の内側折返部230_2とモジュラコネクタ300の底面とによって垂直方向から支持される。この時、接触部440は、オモテイタ200に電気的に接触された状態となる。
【００８１】
また、水平方向に関しては、図示のように、SFPフロントケージ400をプリント配線板100の切込辺110_1に当接させることが出来ないため、ネジ穴450と、オモテイタ200のネジ穴240とをネジSCで結合して固定する。
【００８２】
但し、オモテイタ200とSFPフロントケージ400とのネジ結合は必須ではなく、スタック構成にしたモジュラコネクタ300及びSFPフロントケージ400を予め結合する等の簡易な加工を施しさえすれば、オモテイタ200及びSFPフロントケージ400に設けた結合用のネジ穴240及び450、並びにネジSCは不要となる。
【００８３】
III.実施例[3](２段構成にしたモジュラコネクタ及びSFPフロントケージの択一的実装)：図14〜18
図14(1)及び(2)は、２段構成にしたモジュラコネクタ300及びSFPフロントケージ400を択一的に実装するコネクタ実装構造の実施例を示している。
【００８４】
以下、モジュラコネクタ300を実装する場合の組立工程例(1)を図15及び16を参照して説明し、SFPフロントケージ400を実装する場合の組立工程例(2)を図17及び18を参照して説明する。
【００８５】
なお、プリント配線板100、SFPコネクタ600、オモテイタ200、及びSFPバックケージ600については上記の実施例[2]と同一のものを用いるため、これらに係る組立工程の説明は省略する。
【００８６】
III.1. ２段構成にしたモジュラコネクタを実装する時の組立工程例(1)：図15及び16
本実施例で用いるモジュラコネクタ300は、図15(1)〜(4)に示すように、上段が、モジュラプラグ差込口310_1〜310_4、コンタクトピン320_1〜320_4、及び接触部340_1〜340_4で構成され、下段が、上段と対称に設けたモジュラプラグ差込口310_1R〜310_4R、コンタクトピン320_1R〜320_4R(以下、符号320Rで総称することがある。)、及び接触部340_1R〜340_4R(以下、符号340Rで総称することがある。)で構成された２段構成となっている点が上記の実施例[1]及び[2]と異なっている。
【００８７】
また、同図(2)に示すように、コンタクトピン320Rは、コンタクトピン320と同一の形状であり、プリント配線板100の裏面に設けられたモジュラコネクタ接続パターン120Rに接触可能なように嵌込部350の下面からその一部が引き出されている。
【００８８】
組立工程においては、図16に示すように、モジュラコネクタ300をオモテイタ200の開口部210から挿入した時、モジュラコネクタ300は、上記の実施例[1]と同様、切込部110及び開口部210によって支持される。
【００８９】
この時、上記の実施例[1]と同様、嵌込部350がプリント配線板100を挟み込むことにより、コンタクトピン320及び320Rがそれぞれモジュラコネクタ接続パターン120及び120Rと電気的に接触され、接触部340及び340Rがオモテイタ200に共に電気的に接触された状態となる。
【００９０】
III.2.２段構成にしたSFPフロントケージを実装する時の組立工程例(2)：図17及び18
本実施例で用いるSFPフロントケージ400は、図17(1)〜(3)に示すように、上段が、SFPモジュール差込口410_1〜410_4、SFPモジュール係止用ロック部420_1〜420_4、及び接触部440_1〜440_4で構成され、下段が、上段と対称に設けたSFPモジュール差込口410_1R〜410_4R(以下、符号410Rで総称することがある。)、SFPモジュール係止用ロック部420_1R〜420_4R(以下、符号420Rで総称することがある。)、及び接触部440_1R〜440_4R(以下、符号440Rで総称することがある。)で構成された２段構成となっている点が上記の実施例[1]及び[2]と異なっている。
【００９１】
組立工程においては、図18に示すように、SFPフロントケージ400をオモテイタ200の開口部210から挿入した時、SFPフロントケージ400は、上記の実施例[1]と同様、切込部110及び開口部210によって支持され、接触部440及び440Rは、オモテイタ200に共に電気的に接触された状態となる。
【００９２】
なお、上記実施例によって本発明は限定されるものではなく、特許請求の範囲の記載に基づき、当業者によって種々の変更が可能なことは明らかである。    
【００９３】
（付記１）
切込部と、該切込部に隣接して設けたモジュラコネクタ接続パターンと、該モジュラコネクタ接続パターンから離隔して載置されたSFPコネクタとを有するプリント配線板と、
開口部を有し、該開口部の開口面内に該切込部が対向するように該プリント配線板と結合されたオモテイタとを備え、
該開口部からモジュラコネクタを挿入した時、該モジュラコネクタが該開口部と該切込部とによって支持され、同時に該モジュラコネクタが該モジュラコネクタ接続パターンに電気的接触可能となり、該開口部からSFPフロントケージを挿入した時、該SFPフロントケージが該開口部と該切込部とによって支持され、同時に該SFPフロントケージを通ってSFPモジュールが該SFPコネクタに接続可能となることを特徴としたコネクタ実装構造。
（付記２）付記１において、
該プリント配線板が、その両面に該モジュラコネクタ接続パターン及び該SFPコネクタをそれぞれ有し、
該開口部の中央に該切込部が対向し、以て該モジュラコネクタ及び該SFPフロントケージを組み合わせたスタック構成、又は該モジュラコネクタ若しくは該SFPフロントケージの一体化された２段構成を可能にしたことを特徴としたコネクタ実装構造。
（付記３）付記１において、
該切込部がロック溝を有し、
該モジュラコネクタ又は該SFPフロントケージに設けられたロック部を、該ロック溝に嵌合させることによって該モジュラコネクタ又は該SFPフロントケージを該切込部が支持することを特徴としたコネクタ実装構造。
（付記４）付記１において、
該オモテイタと、該モジュラコネクタ又は該SFPフロントケージとをさらに結合部材により結合することを特徴としたコネクタ実装構造。
（付記５）付記１において、
該モジュラコネクタ又は該SFPフロントケージが、該開口部と電気的接触が可能な接触部を有することを特徴としたコネクタ実装構造。
（付記６）付記１において、
該SFPモジュールを該SFPコネクタに接続した時に該SFPモジュールを周囲から支持するSFPバックケージを該プリント配線板にさらに載置したことを特徴とするコネクタ実装構造。
（付記７）付記６において、
該SFPバックケージが、該SFPモジュールを該SFPフロントケージ側に押し戻す反発力を発生する板バネ部を有し、
該SPFフロントケージが、該反発力により押し戻された該SFPモジュールを係止するロック部を有することを特徴としたコネクタ実装構造。
（付記８）付記６において、
該SFPコネクタが、該プリント配線板にハンダ付けするためのリード部を有し、
該SFPバックケージが、該プリント配線板に該リード部がハンダ付けされているか否かを検査するための窓部を有することを特徴としたコネクタ実装構造。
【図面の簡単な説明】
【００９４】
【図１】本発明に係るコネクタ実装構造の実施例[1]の共通の組立工程例(1)を示した図である。
【図２】本発明に係るコネクタ実装構造の実施例[1]に用いるオモテイタの構成例を示した図である。
【図３】本発明に係るコネクタ実装構造に用いるSFPバックケージの構成例を示した図である。
【図４】本発明に係るコネクタ実装構造の実施例[1]のモジュラコネクタ実装例を示した図である。
【図５】本発明に係るコネクタ実装構造の実施例[1]に用いるモジュラコネクタの構成例を示した図である。
【図６】本発明に係るコネクタ実装構造の実施例[1]の組立工程例(2)を示した図である。
【図７】本発明に係るコネクタ実装構造の実施例[1]のSFPフロントケージ実装例を示した図である。
【図８】本発明に係るコネクタ実装構造の実施例[1]に用いるSFPフロントケージの構成例を示した図である。
【図９】本発明に係るコネクタ実装構造の実施例[1]の組立工程例(3)を示した図である。
【図１０】本発明に係るコネクタ実装構造の実施例[2]を示した図である。
【図１１】本発明に係るコネクタ実装構造の実施例[2]に用いるプリント配線板及びオモテイタの構成例を示した図である。
【図１２】本発明に係るコネクタ実装構造の実施例[2]に用いるSFPフロントケージの構成例を示した図である。
【図１３】本発明に係るコネクタ実装構造の実施例[2]の組立工程例を示した図である。
【図１４】本発明に係るコネクタ実装構造の実施例[3]を示した図である。
【図１５】本発明に係るコネクタ実装構造の実施例[3]に用いるモジュラコネクタの構成例を示した図である。
【図１６】本発明に係るコネクタ実装構造の実施例[3]の組立工程例(1)を示した図である。
【図１７】本発明に係るコネクタ実装構造の実施例[3]に用いるSFPフロントケージの構成例を示した図である。
【図１８】本発明に係るコネクタ実装構造の実施例[3]の組立工程例(2)を示した図である。
【図１９】本発明及び従来例が適用される装置の構成例を示した図である。
【図２０】コネクタ実装技術の従来例[1]を示した図である。
【図２１】コネクタ実装技術の従来例[2]を示した図である。
【図２２】従来のモジュラコネクタ及びSFPコネクタの混載例を示した図である。
【符号の説明】
【００９５】
1  プラグインユニット
2  通信装置
3  コネクタ
100  プリント配線板
110  切込部
110_1, 110_2  切込辺
120, 120R  モジュラコネクタ接続パターン
130, 130R  SFPコネクタ接続パターン
140, 220, 240, 450  ネジ穴
150  ロック溝
160  スルーホール
200  オモテイタ
210  開口部
230  内側折返部
300, 300D  モジュラコネクタ
310, 310R  モジュラプラグ差込口
320, 320R  コンタクトピン
330, 430  ロック部
340, 340R, 440, 440R, 850  接触部
350  嵌込部
360, 530, 610, 840  リード部
400  SFPフロントケージ
410, 410R, 510  SFPモジュール差込口
420, 420R, 830  SFPモジュール係止用ロック部
500, 500R  SFPバックケージ
520, 820  板バネ部
540  窓部
600, 600R  SFPコネクタ
700  SFPモジュール
800, 800D  SFPケージ
810  SFPモジュール差込口
SC  ネジ
図中、同一符号は同一又は相当部分を示す。
【図１】
2008077923.tif 000003
【図２】
2008077923.tif 000004
【図３】
2008077923.tif 000005
【図４】
2008077923.tif 000006
【図５】
2008077923.tif 000007
【図６】
2008077923.tif 000008
【図７】
2008077923.tif 000009
【図８】
2008077923.tif 000010
【図９】
2008077923.tif 000011
【図１０】
2008077923.tif 000012
【図１１】
2008077923.tif 000013
【図１２】
2008077923.tif 000014
【図１３】
2008077923.tif 000015
【図１４】
2008077923.tif 000016
【図１５】
2008077923.tif 000017
【図１６】
2008077923.tif 000018
【図１７】
2008077923.tif 000019
【図１８】
2008077923.tif 000020
【図１９】
2008077923.tif 000021
【図２０】
2008077923.tif 000022
【図２１】
2008077923.tif 000023
【図２２】
2008077923.tif 000024